(57)【要約】【課題】防音効果を高めたディスポーザ装置を提案する。【解決手段】ホッパー内に破砕ユニットが収容される。破砕ユニットはハウジングとその内部に収容される、固定破砕刃と回転破砕刃からなる複数の破砕刃で構成される。ホッパーは装置本体５０の一部をなす。装置本体５０の外表面の一部を防音材６０で覆う。この防音材６０によって装置本体５０で発生した騒音、振動を何れも効果的に抑圧できる。その結果、低騒音で低振動のディスポーザ装置を提供できる。【選択図】    図２
2007054803.tif 000002
【特許請求の範囲】
【請求項１】
流し台に形成された排水用開口部から投入された被破砕物を破砕処理し、破砕された破砕物を排水口に排出するディスポーザ装置において、
少なくとも装置本体の外表面の一部を覆うように取着された防音材を有する
ことを特徴とするディスポーザ装置。
【請求項２】
流し台に形成された排水用開口部から投入された被破砕物を破砕処理し、破砕された破砕物を排水口に排出するディスポーザ装置において、
中空室を備えた中空筐体内に上記装置本体が収容された
ことを特徴とするディスポーザ装置。
【請求項３】
上記中空筐体内に設けられた上記中空室は、ほぼ真空状態となされた
ことを特徴とする請求項２記載のディスポーザ装置。
【請求項４】
上記中空室内には防音材が充填されている
ことを特徴とする請求項２記載のディスポーザ装置。
【発明の詳細な説明】
【技術分野】
【０００１】
この発明は、ディスポーザ装置に関する。詳しくは、ディスポーザ装置を構成する装置本体の外表面の一部を防音材で覆うことで、この装置本体から発生する騒音や振動を効果的に抑圧できるようにしたものである。
【背景技術】
【０００２】
一般家庭やレストランなどにおいて使用されている、生ごみ破砕用のディスポーザ装置（生ごみ処理装置）は、ハンマーミル型とグラインダー型の二種類が知られている。特許文献１や特許文献２に開示されているようなハンマーミル型ディスポーザ装置は、円筒形のホッパーの底部に配置した円盤上に固定ハンマーか、揺動自在なハンマーが設けられている。ホッパーへ投入された生ごみは、円盤が回転することにより生じる遠心力でホッパーの内周面へ押し付けられるので、生ごみはハンマーによって破砕される。破砕された生ごみは、ホッパーの壁面に形成した溝や、円盤の外縁とホッパーの内周面との間隙から下方へ落下する。落下した破砕後の生ごみは排水管側に排出される。
【０００３】
グラインダー型ディスポーザ装置（例えば、特許文献３，４，５）は、櫛歯形の刃を放射状に設けた回転刃と固定刃とを交互に積層してホッパー内に収容されている。回転刃と固定刃のそれぞれの櫛歯形刃は僅かな間隙をもって噛み合うようになされ、回転刃が回転することにより、回転刃と固定刃の各櫛歯形刃にて生ごみを挟んで破砕する。積層された回転刃と固定刃の櫛歯形刃のピッチは、下層へ行くほど細かくなっている。したがって、ホッパーへ投入された生ごみは、上層の回転刃と固定刃により先ず粗く砕かれ、下層の回転刃と固定刃によりさらに細かく破砕されて下方へ排出される。
【０００４】
ハンマーミル型のディスポーザ装置は、ホッパー内の生ごみを粉砕するためにハンマーを取り付けた円盤を数千回転（ｒｐｍ）で高速運転する設計としてあり、作動時には、生ごみがハンマーとホッパー内周面に衝突して破砕されるために、騒音や振動が大きく、また円盤の回転音が大きいという欠点がある。
【０００５】
これに対して、回転刃と固定刃とを交互に積層した構成のグラインダー型ディスポーザ装置は、遠心力を利用する必要がないので回転数を抑えて低騒音とすることができる。
【０００６】
【特許文献１】特開２００１−７０８１８号公報
【特許文献２】特開２００２−２９２３００号公報
【特許文献３】特表２００２−５２１１９３号公報
【特許文献４】特表２００２−５２４２３３号公報
【特許文献５】特開２００４−２９８８０６号公報
【発明の開示】
【発明が解決しようとする課題】
【０００７】
しかし、グラインダー型のディスポーザ装置は低騒音化や低振動化を達成できるものの未だ不十分である。一層の低騒音化や低振動化が望まれている。特に、ディスポーザ装置を団地のような集合住宅で使用する場合には、その要望が強い。
【０００８】
上述したグラインダー型のディスポーザ装置では、繊維質の強い野菜ごみや魚介類の表皮などを処理する能力が不足し、これらの繊維質ごみがホッパー内に残ったり、刃に絡まったりすることがある。
【０００９】
そこで、この発明はこのような従来の課題を解決したものであって、一層の低騒音化等を達成できるグラインダー型のディスポーザ装置を提案するものである。
【課題を解決するための手段】
【００１０】
上述の課題を達成するため、請求項１に記載したディスポーザ装置は、流し台に形成された排水用開口部から投入された被破砕物を破砕処理し、破砕された破砕物を排水口に排出するディスポーザ装置において、
少なくとも装置本体の外表面の一部を覆うように取着された防音材を有することを特徴とする。
【００１１】
また請求項２に記載したディスポーザ装置は、流し台に形成された排水用開口部から投入された被破砕物を破砕処理し、破砕された破砕物を排水口に排出するディスポーザ装置において、
中空室を備えた中空筐体（箱体部材）内に上記装置本体が収容されたことを特徴とする。
【００１２】
第１の発明に係るディスポーザ装置は、複数の破砕刃と、これら複数の破砕刃を収容した筒状ハウジングによって破砕ユニットが構成され、この破砕ユニットが筒状のホッパー内に挿着されて使用される。筒状のホッパーは、装置本体の一部をなし、装置本体内には上述した破砕ユニットの他に、破砕刃を駆動するための駆動モータと、駆動モータの回転駆動力を伝達するための伝達ギア（減速ギア）が内蔵されている。装置本体は取り付け手段を用いてシンクなどに設けられた投入開口部に取り付け固定される。
【００１３】
ディスポーザ装置を構成する装置本体の外表面の一部が防音材によって被覆される。外表面は装置本体の底部を含む筒状をなす装置本体の一部であって、この例ではシンクへの取り付け部（シンクの開口部側）を除く装置本体の全体が防音材によって覆われる。
【００１４】
防音材としては防音、遮音、防振機能のある材料が使用され、この防音材によって、ディスポーザ装置で発生する作動（駆動）音や破砕音、振動等の伝播が抑制される。防音材としてはウレタンゴムや各種の発泡素材が好適である。例えばウレタンゴムをシート状に加工した防音シートを、装置本体の外表面全体に接着剤などを用いて貼着する。防音シートの厚みは適宜選定できる。
【００１５】
第２の発明に係るディスポーザ装置は、第１の発明に係るディスポーザ装置の構成を踏襲する。相違点は、装置本体が中空室を有する中空筐体によって覆われていることである。中空室は空気室として機能させることもできるが、ほぼ真空状態となされている方がより好ましい。
【００１６】
装置本体で発生した騒音や振動は、この中空室および中空筐体をそれぞれ介して外部に伝達されるが、中空室が存在することで、外部に伝わる騒音は逓減され、振動も大幅に減衰する。特に、中空室がほぼ真空状態となされているときは、中空室が空気である場合よりも、騒音や振動を大幅に減衰させることができる。
【００１７】
中空室には、防音材を隙間なく充填することもできる。充填すべき防音材は、防音、遮音、防振機能のある材料が使用される。防音材としてはウレタンゴムや各種の発泡素材などを使用できる。
【発明の効果】
【００１８】
この発明では、ディスポーザ装置の装置本体の外表面の一部を防音材で覆うか、中空室を有する筐体で覆うようにしたものである。
【００１９】
これによれば、防音材あるいは中空室を有する筐体によって、装置本体から発生する騒音や振動を効果的に抑制できる。
【発明を実施するための最良の形態】
【００２０】
以下、この発明の実施の一形態を図面を参照して詳細に説明する。
【００２１】
図１は第１の発明に係るディスポーザ装置の一例を示す。  
説明の都合上、この発明を適用したディスポーザ装置１の一例を図３以下を参照して説明する。ディスポーザ装置は、回転破砕刃と固定破砕刃とを使用して生ごみなどの被破砕物を破砕し、その破砕物を排水管側に排出するようにしたものであるから、ディスポーザ装置１には破砕刃を収納した破砕ユニットを収容するためのホッパーを有する。図３はこのホッパー３の一例を示す。
【００２２】
図３（ａ）はホッパー３の平面図、同図（ｂ）はその側面図、同図（ｃ）はその正面断面図である。ホッパー３は直立円筒形の部材であって、上端に投入開口部７が形成され、ホッパー３の下端周面の一部に排水管接続口８が設けられる。ホッパー３の内部には、排水管接続口８へ向かって傾斜した底板９が設けられ、底板９の中心には破砕刃を回転駆動するための駆動軸が通る穴１０が形成される。この駆動軸は実際には減速ユニットなどで構成された伝達ギア（図示はしない）に設けられた駆動軸であって、図示しない駆動モータの回転力がこの伝達ギアを介して破砕刃に伝達される。
【００２３】
ホッパー３の投入開口部７は破砕動作中は閉塞される。閉塞用に蓋体（図示はしない）が着脱可能に取り付けられる。蓋体には給水孔が形成され、投入開口部７を蓋体で閉じても、ホッパー３内へ給水できるように構成されている。
【００２４】
蓋体とホッパー３との間には、蓋体の閉塞状態を検出する検出手段（図示はしない）が設けられている。検出手段としては、永久磁石とマグネットセンサ等で構成することができる。検出手段の出力に基づいて駆動モータが制御される。
【００２５】
図４および図５は本実施の形態のディスポーザ装置１を構成する破砕ユニット４を示し、図４は破砕ユニット４の正面断面図、図５は破砕ユニット４の要部分解斜視図である。
【００２６】
破砕ユニット４は、図４に示す第１回転破砕刃１２、第２固定破砕刃１３、第３回転破砕刃１４および第４固定破砕刃１５を、これらの順でハウジング１６に収容して１つのユニット構成としている。
【００２７】
第１回転破砕刃１２と第３回転破砕刃１４の間に第２固定破砕刃１３が挟み込まれて保持され、かつ、第４固定破砕刃１５が第３回転破砕刃１４の軸部にＣリング１７などを嵌めることで保持されて、各破砕刃を一体とした破砕刃ユニット１８（図５参照）が構成される。したがって破砕ユニット４は、破砕刃ユニット１８と、これを収容するハウジング１６とで構成される。
【００２８】
ハウジング１６は円筒形状で、外径はホッパー３の内径とほぼ等しく構成される。破砕ユニット４はホッパー３の投入開口部７から挿入され、ホッパー３に装着された破砕ユニット４によって破砕室が構成される。
【００２９】
破砕ユニット４は、第１回転破砕刃１２にハンドル２０を備えることで、このハンドル２０をもってホッパー３に対して着脱できるようにしてある。
【００３０】
図４に示すように、第１回転破砕刃１２、第２固定破砕刃１３、第３回転破砕刃１４および第４固定破砕刃１５は、上下の間隔がほとんどない状態で重なるように寸法設定してあり、破砕された生ごみが破砕刃の上下の隙間に入り込んで破砕ユニット４内に残ることがないようにしている。
【００３１】
図５に示すように、第１回転破砕刃１２は１本のアーム状をなす破砕刃１２ａで構成され、破砕刃１２ａにハンドル２０が連結されている。破砕刃１２ａと、この破砕刃１２ａと対峙する第２固定破砕刃１３のスポーク２８とで生ごみが破砕される。
【００３２】
第２固定破砕刃１３は、ハブ２７と、このハブ２７から１２０度間隔で三方へ延びるスポーク２８とで構成され、スポーク２８の下面には比較的粗いピッチの櫛歯部２８ａが形成されている。
【００３３】
スポーク２８の外径はハウジング１６の内径よりも大きく、３本のスポーク２８の先端がリング２９によって連結され、リング２９の外周面の一部には、それぞれハウジング内周面に形成された縦溝２１（図４参照）に係合する一対の凸条部（タブ）２９ａが設けられている。一対の縦溝２１に凸条部２９ａをそれぞれ係合させることで、ハウジング１６に破砕刃１３を固定できる。ハブ２７の内径は第３回転破砕刃１４の軸３０ａの外径よりも大きい。軸３０ａはハブ２７を貫通して第１固定破砕刃１２の軸１２ｂに固定される。
【００３４】
第３回転破砕刃１４はハブ３０から等間隔で、この例では８方向へ延びるスポーク３１，３３を有し、これらスポーク３１，３３の各先端部がリング３２と連結された構成となっている。複数のスポーク３１，３３のうちこの例では６個のスポーク３１の上面側にそれぞれ櫛歯部３１ａが形成され、残りのスポーク３３には何も形成されていない。櫛歯部３１ａと櫛歯部２８ａとは、図４に示すように僅かな間隙をもって歯合するように櫛歯のピッチや刃高などが設計されている。
【００３５】
特定のスポーク３３に櫛歯部を形成しないのは、投入される生ごみは大小様々であるので、どのような大きさや長さの生ごみであっても、これらを櫛歯部３１ａと３１ａとの間に入り込めるようにするための投入空間を作るためである。
【００３６】
ハブ３０にはその上下方向に突出する軸３０ａ、３０ｂが設けられ、上軸３０ａは上述したようにハブ２７よりも小径に選定されているのに対し、下軸３０ｂはこれよりも大径となっている。これは下軸３０ｂには上述した減速ユニットの駆動軸が嵌合するためである。
【００３７】
スポーク３１および３３はハブ３０の接線方向に形成されているが、これは第３回転破砕刃１４が回転するとき、第３回転破砕刃１４と第２固定破砕刃１３の噛合点が鋏のごとく半径方向に移動することにより破砕負荷のピークの抑制および負荷の平坦化を図るためである。
【００３８】
第４回転破砕刃１５は円盤状本体１５ａを有し、盤面中央に設けられたハブ（透孔部）３８を除く全面に、その厚みを貫通するように多数の破砕孔３９が形成されている。破砕孔３９の形状としては、丸孔、角孔、楕円孔、長孔など様々な形状のものを適用できる。
【００３９】
図５の例は、破砕孔３９として長孔を用いた場合である。長孔の場合には、比較的長目の長孔でもよければ、それよりも短い長孔でもよい。図５のように角度を変えて配列する場合には、長目の長孔と、短めの長孔が混在した破砕孔３９となる。
【００４０】
このような寸法関係に選定された長孔よりなる破砕孔３９を使用するのは、破砕孔３９の大きさを規制することで、破砕物を細かに裁断して落下させると共に、この破砕孔３９を通過する破砕物の裁断粒度（破砕粒度）を所定粒度以下に揃えるためである。
【００４１】
円盤状本体１５ａの外周面の一部この例では、上述した縦溝２１に対応した位置と、これらよりも９０度離間した位置にそれぞれ突起４０ａ、４０ｂが設けられ、幅狭の突起４０ａはハウジング１６に設けられた縦溝２１に係合し、幅広の突起４０ｂは縦溝２１と９０度離れた位置に形成された凹部（図示はしない）に係合することによって、第４固定破砕刃１５がハウジング１６に固定できるように構成されている。
【００４２】
図４に示すように、破砕孔３９の下面側の縁は面取り加工されている。この面取り加工を施すことによって上面開口よりも下面開口の方が開口面積が拡大する。これによって、破砕孔３９内に押し込まれた生ごみが、破砕孔３９内に付着したままになるおそれがなく、生ごみが落下し易くなっている。
【００４３】
第４回転破砕刃１５は円盤状本体１５ａで構成されるものであるから、その上面は平坦面であって、図４に示すように第３固定破砕刃１４の下面に接しながら回転する。第２固定破砕刃１３と第３回転破砕刃１４とにより砕かれた生ごみは、さらに第４固定破砕刃１５の上面に落下する。落下した生ごみはさらに破砕孔３９に引っかかり、破砕孔３９のエッジと第３回転破砕刃１４の底面のエッジとによって切断される。切断された生ごみは破砕孔３９内を通って下方へ落下し、図３に示すホッパー３の傾斜底板９上を滑り落ちて排水口側に排出される。
【００４４】
このように、第３回転破砕刃１４と第４固定破砕刃１５とを面接触させて被破砕物を切断するので、野菜などの長繊維や魚介類の表皮などのように従来の生ごみ処理装置では処理しにくいものでも、破砕孔３９に絡まったり、破砕刃同士の間隙に詰まったりすることがなく、確実に細かく切断して排出することができる。
【００４５】
第４固定破砕刃１５に多数の破砕孔３９を設け、破砕孔３９から破砕物を流下させるようにしたので、破砕孔３９より落下する破砕された破砕物の量が一定量に抑えられる。したがって破砕物の量が多い場合でも、１回転ごとに常に一定量の破砕物のみが落下するので、一度に多量の破砕物が排水管側に流下することがなく、排水管の詰まりを回避できる。また、破砕物の裁断粒度を所定粒度以下に押さえることによって、排水管の管径が細いものであっても、排水管が詰まるようなおそれはない。
【００４６】
さて、ディスポーザ装置１は、図１に示すように筒状をなす装置本体５０を有し、この装置本体５０内に、装置本体５０の一部をなすホッパー３と、このホッパー３内に収容された破砕ユニット４の破砕刃に対して回転駆動力を与える駆動モータ５１と、駆動モータ５１とホッパー３との間に介在される伝達ギア（減速ギア）５２とがそれぞれ収容されて構成される。駆動モータ５１も伝達ギア５２も装置本体５０内に収容されているので、その概略を何れも破線で図示する。
【００４７】
図１の例では、ホッパー３の下部側面側の装置本体５０内に駆動モータ５１が取り付け固定され、その駆動軸と破砕ユニット４の下軸３０ｂとを連結するための伝達ギア５２がホッパー３の下側に位置した状態で、装置本体５０内に取り付け固定されている。
【００４８】
さて、この発明のような積層構造の破砕刃を持った破砕ユニットを使用することで、グラインダー型のディスポーザ装置よりも発生する騒音や振動を軽減できる。この発明ではこれらの騒音や振動をさらに逓減する。
【００４９】
そのため、この発明ではディスポーザ装置１を構成する装置本体５０の外表面の一部が防音材６０によって被覆される。外表面は装置本体の底部をも含む概念である。図２よりも明らかなように、この例では開口部側を除く外表面が防音材６０によって覆われる。
【００５０】
装置本体５０は図１に示すように駆動モータ５１などを収容する関係で、単純な有底筒状体ではないが、ほぼ円筒状をなす筒状体であって、この例では樹脂によってモールド成型された成型品が使用されている。この筒状をなす装置本体５０の一部、図１の例ではシンク７０への取り付け部分（シンク３の開口部側）を除く装置本体５０の全体が防音材６０によって覆われる。
【００５１】
ここで言う防音とは、防音、遮音、防振機能を含めて総称しているので、防音材６０は防音、遮音、防振機能のある材料が使用される。したがって防音材６０としては、吸音材、遮音材、防振材と呼称されるようなものでもよく、ディスポーザ装置１で発生する作動（駆動）音や破砕音、振動等の伝播を抑制する材料であればよい。
【００５２】
防音材６０はウレタンゴムや各種の発泡素材が好適である。実施例では図２に示すようにウレタンゴムをシート状に加工した防音シートを、ベース５４の底面を含めて装置本体５０の外表面全体に接着剤などを用いて貼着した例である。防音シートの厚みは適宜選定でき、図２の場合は１〜２ｍｍ程度である。
【００５３】
ウレタンゴムを装置本体５０の外形に合わせて成型したもので装置本体５０を被覆することでもよい。あるいはウレタンゴムをスポンジ状のシートに加工すると共に、装置本体５０の外形に合わせて成型されたケースを用意し、このケースと装置本体５０との隙間にこの防音シートを充填することで、防音材６０とすることもできる。
【００５４】
この防音材６０が被覆された装置本体５０がシンク７０の下面に取り付け固定される。図２は、装置本体５０をシンク７０に取り付け固定するための取り付け手段８０の一例を示す。
【００５５】
シンク７０の底部には所定の径を有する投入開口部７０ａが設けられ、この投入開口部７０ａの外周を挟むようにして装置本体５０が取り付けられる。そのため、取り付け手段８０としてはシンクフランジ８１が使用される。シンクフランジ８１は、その外周に雄ねじ部を有する中央が開口されたフランジであって、このシンクフランジ８１が投入開口部７０ａの上部より差し込まれる。投入開口部７０ａの下面には中央に開口部を有する金属製のシンクベース８２が位置し、このシンクベース８２を介してシンクナット８３をシンクベース８２に螺合させる。シンクナット８３をシンクフランジ８１に螺合することで、シンクベース８２がシンク７０に固定される。
【００５６】
シンクベース８２にはほぼ９０度の間隔を保持して、Ｌ字状に折り曲げられた４つの係合爪８２ａが設けられており、これら係合爪８２ａを装置本体５０に設けられた取り付け金具８５に係合させることで、装置本体５０がシンク７０に取り付け固定される。
【００５７】
そのため、この例では装置本体５０の上部に設けられたホッパー３の開口端部近郊の外周面に、フランジ８６を有した筒状の取り付け金具８５が取着される。また、シンクナット８３の外径はホッパー３の内径にほぼ等しく選定され、ホッパー３の開口端がシンクナット８３の外面に挿着できるようになっている。
【００５８】
フランジ８６には９０度の間隔を保持して係合孔８６ａが穿設されている。そして、複数の係合爪８２ａのうち、この例では対角線上に位置する係合爪にネジ溝８７ａが形成され、一方係合孔８６ａにも対角線上に位置する係合孔８６ａに隣接して透孔８８ａが穿設されている。上述した係合爪８２ａを係合孔８６ａに係合させると共に、透孔８８ａを介してネジをネジ溝８７ａに螺合させることで装置本体５０をガタなくシンク７０に取り付け固定することができる。
【００５９】
ネジ溝８７ａと透孔８８ａを対角線上の係合爪８２ａと係合孔８６ａ近傍に形成することで、シンクフランジ８１と装置本体５０との位置決めができる。装置本体５０は９０度間隔でシンクベース８２に取り付けることができるが、ネジを使用して固定できるのは、２個所（正規の位置か、１８０度回転した位置）しかない。この正規の位置か、１８０度回転した位置で装置本体５０が取り付けられたとき、上述の蓋体に対する検出手段の位置が正規の位置となる。つまり、シンクフランジ８１に刻印した閉蓋位置（稼働可能位置）と、ホッパー３に取り付けられた検知素子との関係が正規の位置関係となる。ネジを使用して固定できないときは、正規の位置から９０度ずれて取り付けられていることが判るので、取り付けの正誤を簡単に判別できる。
【００６０】
なお、装置本体５０をシンク７０に取り付けるときは、シンクナット８３の外周面にＯリング８４が介挿される。Ｏリング８４によって水漏れを防止できる。
【００６１】
このように取り付け手段８０を用いてシンク７０に装置本体５０、換言すればディスポーザ装置１を取り付け固定することができる。装置本体５０は防音材６０で覆われているので、装置本体５０が発生源となる騒音を効果的に逓減できると共に、装置本体５０自体の振動を効果的に吸収できる。この低騒音化および低振動化によって、シンク７０を介して外部に騒音や振動が伝達されにくくなる。その結果、団地のような集合住宅の台所に、この発明に係るディスポーザ装置１を設置したとき、ディスポーザ装置１の稼働中の騒音や振動の伝導を大幅に抑制できるから、隣接住宅への影響を最小限に食い止めることができる。
【００６２】
防音材６０としては、ウレタンゴムの他に、フェルト素材や不織布などの繊維系素材やグラスウール等のガラス繊維素材、これらに他の材料を混ぜたものであってもよい。
【００６３】
図６は第２の発明に係るディスポーザ装置１００の一例を示す。このディスポーザ装置１００も、基本的には第１の発明に係るディスポーザ装置１の構成を踏襲する。説明を簡略化するため図１の構成を踏襲する部材には同一符号を付すことにする。
【００６４】
そのため、このディスポーザ装置１００にあっても、図４に示すような破砕刃を収容した筒状ハウジング１６によって破砕ユニット４が構成され、この破砕ユニット４が図３に示す筒状のホッパー３内に挿着されて使用される。筒状のホッパー３は、装置本体５０の一部をなし、装置本体５０内には上述した破砕ユニット４の他に、図６に示すように破砕刃を駆動するための駆動モータ５１と、駆動モータ５１の回転駆動力を伝達するための伝達ギア（減速ギア）５２が内蔵されている。装置本体５０は取り付け手段８０を用いてシンク７０の投入開口部７０ａに取り付け固定される。
【００６５】
さて、この発明に係るディスポーザ装置１００は、その装置本体５０が中空室１０１を有する中空筐体（箱体部材）１０２によって覆われている。中空筐体１０２は樹脂製のモールド体で構成することができる。
【００６６】
装置本体５０は図１に示すように駆動モータ５１などを収容する関係で、単純な有底筒状体ではないが、ほぼ円筒状をなす筒状体であって、この例では樹脂によってモールド成型された成型品が使用されている。この筒状をなす装置本体５０の一部、図６の例ではシンク７０への取り付け部（シンク３の開口部側）を除く装置本体５０の全体が、成型された中空筐体１０２によって覆われる。
【００６７】
中空筐体１０２は中空室１０１を有する。中空室１０１は１〜２ｍｍ程度の幅となされた空室であるが、この中空室１０１は空気室として機能させることもできるが、ほぼ真空状態となされている方がより好ましい。
【００６８】
装置本体５０で発生した騒音や振動は、この中空室１０１および中空筐体１０２をそれぞれ介して外部に伝達されるが、中空室１０１が存在することで、外部に伝わる騒音は逓減され、振動も大幅に減衰する。特に、中空室１０１がほぼ真空状態となされているときは、中空室１０１が空気である場合よりも、騒音や振動を大幅に減衰させることができる。そのため、シンク７０を介して伝達される騒音や振動を、ほぼ無視できる程度まで逓減できる。
【００６９】
中空室１０１には、図７に示すように防音材１１０を隙間なく充填することもできる。充填すべき防音材１１０は、防音、遮音、防振機能のある材料が使用される。したがって防音材１１０としては、吸音材、遮音材、防振材と呼称されるようなものでもよく、ディスポーザ装置１００で発生する作動（駆動）音や破砕音、振動等の伝播を抑制する材料であればよい。したがって、防音材１１０としてはウレタンゴムや各種の発泡素材などを使用できる。
【００７０】
また、中空筐体１０２の成型素材と、防音材１１０とを異なる種類の素材とすることで、装置本体５０から発生した各種の音や振動が、中空筐体１０２の内壁面→防音材（充填材）１１０→中空筐体１０２の外壁面へと伝播する。このように騒音や振動が種類の異なる素材間を伝わる過程で、騒音や振動に伝搬損失（エネルギー損失）が生じ、これによって外部への伝播を良好に抑制できる。
【００７１】
なお、本発明は上記した実施例に限定はされず、種々、変形して実施できることは詳述するまでもない。例えば、投入開口部７を閉じる図示しない蓋体の上面や、蓋体の底面の破砕室に臨む部位などに防音材６０を取り付けるようにしてもよい。このようにすれば、破砕室が蓋体に設けた防音材と装置本体を覆う防音材とで囲い込むことになり、好適に騒音や振動を逓減できる。また、ホッパーの外周面や底面部の外表面に防音材を取り付けるようにしても、破砕室を防音材で囲い込むこととなり、好適に騒音や振動を逓減できる。
【００７２】
また、上述した実施例においては、防音材６０や中空筐体１０２を装置本体５０にほぼ倣う形状に成型したが、防音材６０や中空筐体１０２は装置本体５０を収容可能な大きさに形成されていればよく、防音材６０や中空筐体１０２の内部寸法を装置本体５０の外形寸法に対して多少のゆとりをもたせた大きさとしてもよい。
【図面の簡単な説明】
【００７３】
【図１】第１の発明に係るディスポーザ装置の一例を示す取り付け状態の側面図である。
【図２】その要部縦断面図である。
【図３】ディスポーザ装置に使用されるホッパーの説明図である。
【図４】破砕ユニットを組み立てた状態の縦断面図である。
【図５】ディスポーザ装置に使用される破砕ユニットの分解斜視図である。
【図６】第２の発明に係るディスポーザ装置の一例を示す取り付け状態の要部縦断面図である（その１）。
【図７】第２の発明に係るディスポーザ装置の一例を示す取り付け状態の要部縦断面図である（その２）。
【符号の説明】
【００７４】
１，１００・・・ディスポーザ装置
３・・・ホッパー
４・・・破砕ユニット
１２，１３，１４，１５・・・破砕刃
３９・・・破砕孔
５０・・・装置本体
５１・・・駆動モータ
５２・・・伝達ギア
６０，１１０・・・防音材
１０１・・・中空室
１０２・・・中空筐体
【図１】
2007054803.tif 000003
【図２】
2007054803.tif 000004
【図３】
2007054803.tif 000005
【図４】
2007054803.tif 000006
【図５】
2007054803.tif 000007
【図６】
2007054803.tif 000008
【図７】
2007054803.tif 000009